(57)【特許請求の範囲】
【請求項１】
電話回線を介して他の電話機又は他のコンピユータ装置と回線接続すると共に当該電話回線を介して送受信を行う回線接続手段と、
入力される受信デイジタルデータから出力音声信号を抽出して送出すると共に入力される入力音声信号を送信デイジタルデータに変換して送出するコンピユータ装置と接続されており、上記電話回線を介して上記他のコンピユータ装置と回線接続して送受信を行う場合、当該他のコンピユータ装置から受信したアナログ信号を伸長処理及び復調処理して、得られた受信デイジタルデータを当該コンピユータ装置へ送出すると共に、当該コンピユータ装置から与えられる上記送信デイジタルデータを圧縮処理及び変調処理して、得られた上記アナログ信号を上記回線接続手段へ送出するデータ変復調手段と、
上記他のコンピユータ装置と回線接続した場合、入力される上記出力音声信号に基づいて音声出力すると共に上記音声入力により得られる上記入力音声信号を送出する音声入出力手段と、
上記コンピユータ装置から与えられる上記出力音声信号に基づき、上記他のコンピユータ装置からの着信を検出する着信検出手段と、
上記他の電話機と回線接続した場合は上記電話回線を上記音声入出力手段に接続し、また上記他のコンピユータ装置と回線接続した場合は上記コンピユータ装置を上記音声入出力手段に接続する接続切換え手段と
を具えることを特徴とする電話装置。
【請求項２】
上記回線接続手段又は上記着信検出手段の検出結果に応じて、各々異なる着信音を出力する着信通知手段
を具えることを特徴とする請求項１に記載の電話装置。
【請求項３】
上記回線接続手段又は上記着信検出手段の検出結果に応じて、各々異なる表示パターンを出力表示する着信通知手段
を具えることを特徴とする請求項１記載の電話装置。
【請求項４】
上記回線接続手段又は上記着信検出手段の検出結果に応じて、各々異なる振動パターンを出力する着信通知手段
を具えることを特徴とする請求項１に記載の電話装置。
【請求項５】
電話回線を介して他の電話機又は他のコンピユータ装置と回線接続すると共に当該電話回線を介して送受信を行う回線接続手段と、
入力される受信デイジタルデータから出力音声信号を抽出して送出すると共に入力される入力音声信号を送信デイジタルデータに変換して送出するコンピユータ装置と接続されており、上記電話回線を介して上記他のコンピユータ装置から受信したアナログ信号を伸長処理及び復調処理して得られた受信デイジタルデータを当該コンピユータ装置へ送出すると共に、当該コンピユータ装置から与えられる上記送信デイジタルデータを圧縮処理及び変調処理して、得られた上記アナログ信号を上記回線接続手段に送出するデータ変復調手段と、
上記コンピユータ装置から与えられる上記出力音声信号に基づいて、上記他のコンピユータ装置からの着信を検出する着信検出手段と、
音声入出力を行う電話機及び上記コンピユータ装置と接続されており、上記他の電話機と回線接続した場合は上記電話回線を上記電話機に接続し、また上記他のコンピユータ装置と回線接続した場合は上記電話機を上記コンピユータ装置に接続する接続切換え手段と
を具えることを特徴とするモデム装置。
【請求項６】
電話回線を介して他の電話機又は他のコンピユータ装置と回線接続すると共に当該電話回線を介して送受信を行う回線接続手段と、
上記他のコンピユータ装置から受信したアナログ信号を伸長処理及び復調処理して受信デイジタルデータを生成すると共に、当該他のコンピユータ装置へ送信すべき送信デイジタルデータを圧縮処理及び変調処理して、得られた上記アナログ信号を上記回線接続手段に送出するデータ変復調手段と、
上記データ変復調手段から与えられる上記受信デイジタルデータから出力音声信号を抽出すると共に、入力される入力音声信号を上記送信デイジタルデータに変換して上記データ変復調手段に供給するデータ処理手段と、
上記出力音声信号に基づき、上記他のコンピユータ装置からの着信を検出する着信検出手段と、
音声入出力を行う電話機と接続されており、上記他の電話機と回線接続した場合は上記電話回線を上記電話機に接続し、また上記他のコンピユータ装置と回線接続した場合は上記電話機を上記データ処理手段に接続する接続切換え手段と
を具えることを特徴とするコンピユータ装置。
【請求項７】
電話回線を介して他の電話機又は他のコンピユータ装置と回線接続すると共に当該電話回線を介して送受信を行う回線接続手段と、
上記他のコンピユータ装置から受信したアナログ信号を伸長処理及び復調処理して受信デイジタルデータを生成すると共に、当該他のコンピユータ装置へ送信すべき送信デイジタルデータを圧縮処理及び変調処理して、得られた上記アナログ信号を上記回線接続手段に送出するデータ変復調手段と、
上記データ変復調手段から与えられる上記受信デイジタルデータから出力音声信号を抽出して送出すると共に入力される入力音声信号を上記送信デイジタルデータに変換して上記データ入出力手段に供給するデータ処理手段と、
上記他のコンピユータ装置と回線接続した場合、上記出力音声信号に基づいて音声出力すると共に音声入力により得られる上記入力音声信号を送出する音声入出力手段と、
上記出力音声信号に基づいて、上記他のコンピユータ装置からの着信を検出する着信検出手段と、
上記他の電話機と回線接続した場合は上記電話回線を上記音声入出力手段に接続し、また上記他のコンピユータ装置と回線接続した場合は上記データ処理手段を上記音声入出力手段に接続する接続切換え手段と
を具えることを特徴とする通信端末装置。
【請求項８】
上記回線接続手段又は上記着信検出手段の検出結果に応じて、各々異なる着信音を出力する着信通知手段
を具えることを特徴とする請求項７に記載の通信端末装置。
【請求項９】
上記回線接続手段又は上記着信検出手段の検出結果に応じて、各々異なる表示パターンを出力表示する着信通知手段
を具えることを特徴とする請求項７に記載の通信端末装置。
【請求項１０】
上記回線接続手段又は上記着信検出手段の検出結果に応じて、各々異なる振動パターンを出力する着信通知手段
を具えることを特徴とする請求項７に記載の通信端末装置。
【発明の詳細な説明】
【０００１】
【目次】
以下の順序で本発明を説明する。
発明の属する技術分野
従来の技術
発明が解決しようとする課題
課題を解決するための手段
発明の実施の形態
（１）第１実施例（図１及び図２）
（２）第２実施例（図３及び図４）
（３）第３実施例（図５）
（４）第４実施例（図６）
（５）他の実施例
発明の効果
【０００２】
【発明の属する技術分野】
本発明は電話装置、モデム装置、コンピユータ装置及び通信端末装置に関し、例えば公衆電話回線を用いて２つ以上の異なる通信ネツトワークに接続する通信機器に用いられる電話装置、モデム装置、コンピユータ装置及び通信端末装置に適用して好適なものである。
【０００３】
【従来の技術】
従来、公衆電話回線は通信相手側との間を電話機を端末装置として接続し、音声によるやりとりで相互間の意思の伝達を行うようになされていた。しかし近年、インターネツトに代表されるように、公衆電話回線を介してコンピユータ装置間を接続し、音声情報だけでなく文字や画像情報を伝送し得るようになされている。従来の電話機間の接続による通信ネツトワークを第１とするなら、こうしたコンピユータ装置間の接続によるものは第２の通信ネツトワークと言える。
【０００４】
このような第２の通信ネツトワークではコンピユータ装置間を接続するための構成が要求される。すなわちコンピユータ装置間ではデイジタル信号によつてデータ伝送がなされるが、公衆電話回線上では情報信号がアナログ信号の状態で伝送されるため、コンピユータ装置と公衆電話回線との間にモデム装置と呼ばれるものが必要である。
コンピユータ装置から送出されたデイジタル信号でなる情報信号はモデム装置に入力される。モデム装置は当該情報信号をデイジタル／アナログ変換してアナログ信号とし、得られたアナログ信号を公衆電話回線を介して相手側のコンピユータ装置に送信する。相手側のコンピユータ装置では公衆電話回線を介して送られてきたアナログ信号でなる情報信号を受信してモデム装置に入力する。モデム装置は入力された情報信号をアナログ／デイジタル変換してデイジタル信号に復元し、得られたデイジタル信号をコンピユータ装置に供給する。
【０００５】
各コンピユータ装置は、このように公衆電話回線との間にモデム装置を設けて情報信号をアナログ／デイジタル変換及びデイジタル／アナログ変換することにより、アナログ信号のみを伝送し得る公衆電話回線を用いて情報信号のやりとりを行うことができる。こうしたコンピユータネツトワークは既存の公衆電話回線を用いて形成されるため、海外等の遠隔地とも比較的低コストで、様々な情報の伝達を行うことができる。
【０００６】
【発明が解決しようとする課題】
ところで、このような異なる２種類の通信ネツトワークに接続するために要する装置はそれぞれ別個のものであり、一方が他方の機能を兼用するものでは無いという問題がある。
例えば音声によるやりとりで通信を行う場合、公衆電話回線に接続するために要する構成は電話機のみである。一方、音声情報のみで無く、文字や画像情報を伝送して通信を行う場合、公衆電話回線に接続するために要する構成としては、モデム装置及びコンピユータ装置が必要であり、電話機は要しない。したがつて音声情報のみによる通信と共に、文字や画像情報による通信を行う場合は、電話機とモデム装置及びコンピユータ装置とを各々別個に用意しなければならず、全体的な構成及びコストが増加する傾向にあつた。
【０００７】
本発明は以上の点を考慮してなされたもので、簡易な構成で異なる種別の通信ネツトワークへの接続を実現し得る電話装置、モデム装置、コンピユータ装置及び通信端末装置を提案しようとするものである。
【０００８】
【課題を解決するための手段】
かかる課題を解決するため本発明においては、電話回線を介して他の電話機又は他のコンピユータ装置と回線接続すると共に当該電話回線を介して送受信を行う回線接続手段と、入力される受信デイジタルデータから出力音声信号を抽出して送出すると共に入力される入力音声信号を送信デイジタルデータに変換して送出するコンピユータ装置と接続されており、電話回線を介して他のコンピユータ装置と回線接続して送受信を行う場合、当該他のコンピユータ装置から受信したアナログ信号を伸長処理及び復調処理して、得られた受信デイジタルデータを当該コンピユータ装置へ送出すると共に、当該コンピユータ装置から与えられる送信デイジタルデータを圧縮処理及び変調処理して、得られたアナログ信号を回線接続手段へ送出するデータ変復調手段と、他のコンピユータ装置と回線接続した場合、入力される出力音声信号に基づいて音声出力すると共に音声入力により得られる入力音声信号を送出する音声入出力手段と、コンピユータ装置から与えられる出力音声信号に基づき、他のコンピユータ装置からの着信を検出する着信検出手段と、他の電話機と回線接続した場合は電話回線を音声入出力手段に接続し、また他のコンピユータ装置と回線接続した場合はコンピユータ装置を音声入出力手段に接続する接続切換え手段とを設ける。
【０００９】
他のコンピユータ装置との送受信の際に音声入出力手段とコンピユータ装置とを接続して、コンピユータ装置により受信デイジタルデータから抽出される出力音声信号を音声入出力手段から音声出力し又音声入出力手段から入力される入力音声信号をコンピユータ装置により送信デイジタルデータに変換するようにしたことにより、他の電話機との接続及び他のコンピユータ装置との接続のどちらの場合でも音声入出力手段を介して音声入出力を行うことができ、音声入出力インターフエイスを共通化することができる。
【００１０】
また本発明においては、電話回線を介して他の電話機又は他のコンピユータ装置と回線接続すると共に当該電話回線を介して送受信を行う回線接続手段と、入力される受信デイジタルデータから出力音声信号を抽出して送出すると共に入力される入力音声信号を送信デイジタルデータに変換して送出するコンピユータ装置と接続されており、電話回線を介して他のコンピユータ装置から受信したアナログ信号を伸長処理及び復調処理して得られた受信デイジタルデータを当該コンピユータ装置へ送出すると共に、当該コンピユータ装置から与えられる送信デイジタルデータを圧縮処理及び変調処理して、得られたアナログ信号を回線接続手段に送出するデータ変復調手段と、コンピユータ装置から与えられる出力音声信号に基づいて、他のコンピユータ装置からの着信を検出する着信検出手段と、音声入出力を行う電話機及びコンピユータ装置と接続されており、他の電話機と回線接続した場合は電話回線を電話機に接続し、また他のコンピユータ装置と回線接続した場合は電話機をコンピユータ装置に接続する接続切換え手段とを設ける。
【００１１】
他のコンピユータ装置との送受信の際に電話機とコンピユータ装置とを接続して、コンピユータ装置により受信デイジタルデータから抽出される出力音声信号を電話機から音声出力し又電話機から入力される入力音声信号をコンピユータ装置により送信デイジタルデータに変換するようにしたことにより、他の電話機との接続及び他のコンピユータ装置との接続のどちらの場合でも電話機を介して音声入出力を行うことができ、音声入出力インターフエイスを共通化することができる。
【００１２】
また本発明においては、電話回線を介して他の電話機又は他のコンピユータ装置と回線接続すると共に当該電話回線を介する送受信を行う回線接続手段と、他のコンピユータ装置から受信したアナログ信号を伸長処理及び復調処理して受信デイジタルデータを生成すると共に、当該他のコンピユータ装置へ送信すべき送信デイジタルデータを圧縮処理及び変調処理して、得られたアナログ信号を回線接続手段に送出するデータ変復調手段と、データ変復調手段から与えられる受信デイジタルデータから出力音声信号を抽出すると共に、入力される入力音声信号を送信デイジタルデータに変換してデータ変復調手段に供給するデータ処理手段と、出力音声信号に基づき、他のコンピユータ装置からの着信を検出する着信検出手段と、音声入出力を行う電話機と接続されており、他の電話機と回線接続した場合は電話回線を電話機に接続し、また他のコンピユータ装置と回線接続した場合は電話機をデータ処理手段に接続する接続切換え手段とを設ける。
【００１３】
他のコンピユータ装置との送受信の際に電話機とデータ処理手段とを接続して、データ処理手段により受信デイジタルデータから抽出した出力音声信号を電話機から音声出力し又電話機から入力される入力音声信号をデータ処理手段により送信デイジタルデータに変換するようにしたことにより、他の電話機との接続及び他のコンピユータ装置との接続のどちらの場合でも電話機を介して音声入出力を行うことができ、音声入出力インターフエイスを共通化することができる。
【００１４】
また本発明においては、電話回線を介して他の電話機又は他のコンピユータ装置と回線接続すると共に当該電話回線を介して送受信を行う回線接続手段と、他のコンピユータ装置から受信したアナログ信号を伸長処理及び復調処理して受信デイジタルデータを生成すると共に、当該他のコンピユータ装置へ送信すべき送信デイジタルデータを圧縮処理及び変調処理して、得られたアナログ信号を回線接続手段に送出するデータ変復調手段と、データ変復調手段から与えられる受信デイジタルデータから出力音声信号を抽出して送出すると共に入力される入力音声信号を送信デイジタルデータに変換してデータ入出力手段に供給するデータ処理手段と、他のコンピユータ装置と回線接続した場合、出力音声信号に基づいて音声出力すると共に音声入力により得られる入力音声信号を送出する音声入出力手段と、出力音声信号に基づいて、他のコンピユータ装置からの着信を検出する着信検出手段と、他の電話機と回線接続した場合は電話回線を音声入出力手段に接続し、また他のコンピユータ装置と回線接続した場合はデータ処理手段を音声入出力手段に接続する接続切換え手段とを設ける。
【００１５】
他のコンピユータ装置との送受信の際に音声入出力手段とデータ処理手段とを接続して、データ処理手段により受信デイジタルデータから抽出した出力音声信号を音声入出力手段から音声出力し又音声入出力手段から入力される入力音声信号をデータ処理手段により送信デイジタルデータに変換するようにしたことにより、他の電話機との接続及び他のコンピユータ装置との接続のどちらの場合でも音声入出力手段を介して音声入出力を行うことができ、音声入出力インターフエイスを共通化することができる。
【００１６】
【発明の実施の形態】
以下図面について、本発明の一実施例を詳述する。
【００１７】
（１）第１実施例
図１において、１は電話装置を示し、従来の電話機のような音声情報のみによる通信ネツトワークに接続し得ると共に、文字や画像情報による所謂コンピユータネツトワークに接続し得るようになされている。
電話装置１は例えば公衆電話回線等の電話回線２と接続されており、当該電話回線２を介して他の電話機又はコンピユータ装置（図示せず）と回線接続してデータ伝送を行う。電話装置１は電話回線２を介して他の電話機と接続する場合（以下、これを回線交換時と呼ぶ）、電話装置１のみによつて音声による送受信を行う。一方、電話回線２を介して他のコンピユータ装置と接続する場合、電話装置１はシリアル回線３及びオーデイオ回線４により接続されたコンピユータ装置５を介してデータの送受信を行う。
【００１８】
他のコンピユータ装置から送信されるデータ信号を受信した場合、電話装置１は電話回線２を介してアナログ信号でなるデータ信号を入力する。ここで当該データ信号は本来デイジタル信号であるが、電話回線２を介して伝送するために相手側のコンピユータ装置によつてアナログ信号に変換されると共に所定の周波数帯域内の信号に変調されている。電話装置１は、こうしたデータ信号を復調すると共にデイジタル信号に復元し、またデータ信号が圧縮されている場合に伸長処理を施す。電話装置１は、こうして得られたデイジタル信号Ｓ１を例えばＲＳ−２３２Ｃ等のシリアル回線３を介してコンピユータ装置５に供給する。コンピユータ装置５は与えられるデイジタル信号Ｓ１を入力し、所定のデータ処理を行つて出力表示する。
同様に電話装置１は、他のコンピユータ装置にデータ送信を行う場合、コンピユータ装置５によつて生成した送信データ信号でなるデイジタル信号Ｓ１をシリアル回線３を介して入力し、当該デイジタル信号Ｓ１をデータ圧縮すると共に、アナログ信号への変換及び所定の周波数帯域内の信号への変調を行い、電話回線２を介して送信する。
【００１９】
また電話装置１はオーデイオ回線４によつてコンピユータ装置５と接続されている。ここでコンピユータ装置５は上述のデイジタル信号Ｓ１に音声データが含まれている場合に当該音声データを抽出し、得られたアナログなオーデイオ信号Ｓ２をオーデイオ回線４を介して電話装置１に供給するようになされている。電話装置１は与えられたオーデイオ信号Ｓ２を音声出力する。同様にユーザが電話装置１を介して入力したアナログな音声信号はオーデイオ信号Ｓ２としてオーデイオ回線４を介してコンピユータ装置５に供給される。コンピユータ装置５は当該オーデイオ信号Ｓ２に所定のデータ処理を施してデイジタルな音声データに変換することによりデイジタル信号Ｓ１を生成し、当該デイジタル信号Ｓ１をシリアル回線３を介して電話装置１に供給する。電話装置１は、こうして与えられたデイジタル信号Ｓ１をデータ圧縮すると共に、アナログ信号への変換及び所定の周波数帯域内の信号への変調を行い、電話回線２を介して送信する。
【００２０】
図１との対応部分に同一符号を付して示す図２において、１は全体として電話装置の内部構成を示しており、電話回線２を介して受信したデータ信号を回線Ｉ／Ｆ部６に入力する。回線交換時、回線Ｉ／Ｆ部６は当該データ信号が他の電話機からの呼び出し信号であるか否かを信号の周波数等から識別して、他の電話機からの呼び出し信号である場合、内部バス７を介して制御部８に通知する。
制御部８は当該通知に応じて、内部バス７を介してリンガー発生部９及び表示部１０に制御信号を供給する。リンガー発生部９はこれに応じて着信音を出力し、また表示部１０は例えば点滅表示を行うことにより、ユーザに着信を通知する。
【００２１】
ここで回線Ｉ／Ｆ部６は切換えスイツチ１１の一方の入力端子と接続されており、またハンドセツト部１２は切換えスイツチ１１の出力端子と接続されている。制御部８はリンガー発生部９及び表示部１０に制御信号を供給した後、ハンドセツト部１２のフツク状態の検出を行う。ユーザが着信通知に応じてマイク及びスピーカを有するハンドセツト部１２を取り上げた場合、制御部８はハンドセツト部１２がオフフツク状態になつたことを検出して、切換えスイツチ１１に切換え信号を送出する。切換えスイツチ１１はこれに応じて、回線Ｉ／Ｆ部６が接続された入力端子とハンドセツト部１２が接続された出力端子とを接続するようにスイツチの切り換えを行う。
これにより電話装置１はハンドセツト部１２を切換えスイツチ１１及び回線Ｉ／Ｆ部６を介して電話回線２に接続し、通話を確立する。
【００２２】
なお電話装置１はキースイツチ部１３を有しており、キースイツチ部１３を操作して所望の電話番号を入力した場合、当該電話番号を内部バス７を介して制御部８に供給する。制御部８は内部バス７、回線Ｉ／Ｆ部６及び電話回線２を順次介して、当該電話番号に応じた相手側に呼を発行する。
またユーザがハンドセツト部１２を元の位置に置いた場合、制御部８はハンドセツト部１２がオンフツク状態になつたことを検出して、通話を終了する。
【００２３】
一方、入力されるデータ信号が他の電話機からの呼び出し信号で無い場合、回線Ｉ／Ｆ部６は当該データ信号を変復調部１４に供給する。なお、これは例えば相手側のコンピユータ装置とコンピユータ装置５（図１）とで電話回線２を介してデータ伝送を行う場合であり、相手側のコンピユータ装置との接続は既に確立されているものとする。
変復調部１４は与えられたデータ信号が圧縮されている場合に伸長処理すると共に、復調処理及びアナログ／デイジタル変換してデイジタル信号Ｓ１に変換する。変復調部１４は得られたデイジタル信号Ｓ１を内部バス７を介してシリアルＩ／Ｆ部１５に送出する。シリアルＩ／Ｆ部１５はシリアル回線３を介してコンピユータ装置５にデイジタル信号Ｓ１を供給する。コンピユータ装置５は与えられるデイジタル信号Ｓ１に所定のデータ処理を行つて、デイジタル信号Ｓ１でなる文字情報及び画像情報をモニタ（図示せず）に出力表示する。
【００２４】
また上述したように、コンピユータ装置５はデイジタル信号Ｓ１に音声データが含まれている場合、当該音声データを抽出して得られるアナログなオーデイオ信号Ｓ２をオーデイオ回線４を介して電話装置１に供給する。電話装置１はオーデイオ信号Ｓ２をオーデイオＩ／Ｆ部１６に入力する。
オーデイオＩ／Ｆ部１６はオーデイオ信号Ｓ２を切換えスイツチ１１の他方の入力端子に送出すると共に、着信検出部１７に与える。着信検出部１７はオーデイオ信号Ｓ２から着信通知を示す音声信号を検出した場合、制御部８に着信を通知する。例えば相手側のコンピユータ装置からの着信時、当該データ信号には着信通知信号が含まれている。この着信通知信号は例えばインターネツトの場合、400[Hz] のトーン信号でなり、回線Ｉ／Ｆ部６では検出し得ない。電話装置１はこのような着信通知信号を一時コンピユータ装置５に送出してアナログな音声信号に変換し、得られたオーデイオ信号Ｓ２から当該音声信号を検出することで着信を識別するようになされている。
制御部８は当該通知に応じて、内部バス７を介してリンガー発生部９及び表示部１０に制御信号を供給する。リンガー発生部９はこれに応じて、上述の回線交換時の場合とは異なる着信音を出力し、また表示部１０も回線交換時の場合とは異なる点滅表示を行うことにより、ユーザに相手側のコンピユータ装置からの着信を通知する。
【００２５】
ユーザが着信通知に応じてマイク及びスピーカを有するハンドセツト部１２を取り上げた場合、制御部８はハンドセツト部１２がオフフツク状態になつたことを検出して、切換えスイツチ１１に切換え信号を送出する。切換えスイツチ１１はこれに応じて、オーデイオＩ／Ｆ部１６が接続された入力端子とハンドセツト部１２が接続された出力端子とを接続するように接続を切り換える。これにより電話装置１はハンドセツト部１２を切換えスイツチ１１、オーデイオＩ／Ｆ部１６及びオーデイオ回線４を介してコンピユータ装置５と接続し、上述のデータ信号に含まれる音声データをハンドセツト部１２のスピーカから出力する。
【００２６】
またこうして接続が確立された状態でハンドセツト部１２のマイクから音声を入力した場合、当該音声は音声信号に変換されて切換えスイツチ１１、オーデイオＩ／Ｆ部１６及びオーデイオ回線４を介してコンピユータ装置５に与えられる。コンピユータ装置５は当該音声信号を音声処理してデイジタル信号Ｓ１を生成し、シリアル回線３を介して電話装置１に供給する。電話装置１は当該デイジタル信号Ｓ１をシリアルＩ／Ｆ部１５及び内部バス７を順次介して変復調部１４に供給する。変復調部１４はデイジタル信号Ｓ１をデータ圧縮した後にアナログ信号に変換すると共に所定の変調方式で変調することによりデータ信号を生成して、回線Ｉ／Ｆ部６を介して電話回線２に送出して、相手側のコンピユータ装置に送信する。
【００２７】
なお回線交換時と同様に、ユーザがハンドセツト部１２を元の位置に置いた場合、制御部８はハンドセツト部１２がオンフツク状態になつたことを検出して、相手側のコンピユータ装置とのデータ伝送を終了する。
【００２８】
以上の構成において、電話装置１は回線交換時、着信したデータ信号が他の電話機からのものであることを回線Ｉ／Ｆ部６により識別して制御部８に通知し、ハンドセツト部１２のオフフツク時に制御部８から送出する切換え信号によつて切換えスイツチ１１の接続を切り換えることにより当該切換えスイツチ１１及び回線Ｉ／Ｆ部６を介してハンドセツト部１２を電話回線２と接続して通話を行うことができる。
また他のコンピユータ装置との接続時に電話回線２を介してデータ信号が着信した場合、当該データ信号を回線Ｉ／Ｆ部６を介して変復調部１４に与える。データ信号は伸長処理、復調処理及びデイジタル信号Ｓ１への変換がなされ、こうして得られたデイジタル信号Ｓ１が内部バス７、シリアルＩ／Ｆ部１５及びシリアル回線３を順次介してコンピユータ装置５に与えられる。デイジタル信号Ｓ１はコンピユータ装置５によるデータ処理によつて文字又は画像として出力表示される。
【００２９】
また着信したデータ信号に音声データが含まれている場合、当該音声データはコンピユータ装置５によつてデイジタル信号Ｓ１から抽出されて音声処理され、オーデイオ信号Ｓ２としてオーデイオ回線４、オーデイオＩ／Ｆ部１６及び切換えスイツチ１１を介してハンドセツト部１２に供給される。この際、着信開始時にデータ信号に付加されている着信通知信号が着信検出部１７によつて検出され、当該検出結果及びハンドセツト部１２のオフフツクに応じて制御部８から送出される切換え信号によつて切換えスイツチ１１の接続切換えがなされ、ハンドセツト部１２のスピーカからオーデイオ信号Ｓ２に基づく音声出力がなされる。またこうした接続時にハンドセツト部１２のマイクから音声を入力した場合、当該音声は音声信号として切換えスイツチ１１、オーデイオＩ／Ｆ部１６及びオーデイオ回線４を介してコンピユータ装置５に与えられ、コンピユータ装置５による音声処理によつてデイジタルな音声データに変換される。こうして得られた音声データやコンピユータ装置５によつて生成される文字、画像データはデイジタル信号Ｓ１としてシリアル回線３を介して電話装置１に与えられ、シリアルＩ／Ｆ部１５、変復調部１４、回線Ｉ／Ｆ部６及び電話回線２を順次介して送出され、他のコンピユータ装置に送信される。これにより電話装置１は他のコンピユータ装置とのデータ伝送を行い得る。
【００３０】
このように電話装置１は他の電話機との回線交換時、及び他のコンピユータ装置とのデータ伝送時、回線Ｉ／Ｆ部６又は着信検出部１７によつて、着信したデータ信号が他の電話機からのものであるか、又は他のコンピユータ装置からのものであるかを識別して切換えスイツチ１１の接続を切り換えることにより、上述したどちらの場合でもハンドセツト部１２によつて音声の入出力を行うことができる。また同様に、他の電話機との回線交換時又は他のコンピユータ装置とのデータ伝送時とでリンガー発生部９により異なる着信通知音を出力するようにしたことにより、着信したデータ信号が他の電話機からのものであるか、又は他のコンピユータ装置からのものであるかを区別して着信通知することができる。
さらにハンドセツト部１２のオフフツク、オンフツクによつて、他の電話機との回線交換時に通話開始及び終了を制御でき、また他のコンピユータ装置とのデータ伝送時にデータ伝送の開始及び終了を制御することができる。またキースイツチ部１３から所望の電話番号を入力することにより、他の電話機との回線交換時、及び他のコンピユータ装置とのデータ伝送時、どちらの場合でも所望の相手先に呼を発行することができる。
【００３１】
これにより電話装置１は異なる種別の通信時における音声入出力、着信通知、通信開始及び終了の制御、呼の発行等のインターフエイスを同一構成によつて兼用することができ、これらの構成を電話装置１とコンピユータ装置５とで通信の種別に応じて別々に設けることを不要にし得る。
【００３２】
以上の構成によれば、変復調部１４、切換えスイツチ１１、シリアルＩ／Ｆ部１５、オーデイオＩ／Ｆ部１６及び着信検出部１７を有する電話装置１を、デイジタル信号Ｓ１から音声データを抽出してオーデイオ信号Ｓ２を生成すると共にオーデイオ信号Ｓ２をデイジタル信号Ｓ１に変換するコンピユータ装置５と接続して、回線交換時は回線Ｉ／Ｆ部６による識別によつて切換えスイツチ１１をハンドセツト部１２と回線Ｉ／Ｆ部６とを接続するように切り換えて通話を行い、他のコンピユータ装置との接続時は着信検出部１７による着信通知信号の検出によつて切換えスイツチ１１をハンドセツト部１２とオーデイオＩ／Ｆ部１６とを接続するように切り換えてコンピユータ装置５を介した音声データの入出力を行うようにしたことにより、通信の種別に応じて別々の構成を設けること無く、ハンドセツト部１２によつて通話及び音声データの入出力を共に行うことができ、かくするにつき、簡易な構成により異なる種別の通信における入出力インターフエイスを共通化することができる。
【００３３】
（２）第２実施例
図１との対応部分に同一符号を付して示す図３において、３０はモデム装置を示し、電話機３１とコンピユータ装置５との間に配されている。モデム装置３０は電話回線２に接続されており、当該電話回線を介して他の電話機又は他のコンピユータ装置（図示せず）と回線接続する。またモデム装置３０は回線３２を介して電話機３１と接続されており、シリアル回線３及びオーデイオ回線４を介してコンピユータ装置５と接続されている。
【００３４】
モデム装置３０は図２との対応部分に同一符号を付した図４に示す内部構成でなり、電話回線２と接続された回線Ｉ／Ｆ部６によつてデータ信号の送受信を行う。回線交換時、回線Ｉ／Ｆ部６はこのデータ信号が他の電話機からの呼び出し信号であるか否かを信号の周波数等から識別して、他の電話機からの呼び出し信号である場合、内部バス７を介して制御部８に通知する。制御部８は当該通知に応じて内部バス７を介して切換えスイツチ１１に切換え信号を送出する。切換えスイツチ１１は入力端子の一方が回線Ｉ／Ｆ部６に接続されており、出力端子が回線３２に接続されている。切換えスイツチ１１は当該切換え信号に応じて、回線Ｉ／Ｆ部６と回線３２とを接続するように入力端子及び出力端子の接続を切り換える。これにより電話機３１が電話回線２に接続される。
【００３５】
一方、データ信号が他の電話機から着信したもので無い場合、回線Ｉ／Ｆ部６はデータ信号を変復調部１４に供給する。なお、これは例えば他のコンピユータ装置とコンピユータ装置５とで電話回線２を介してデータ伝送を行う場合であり、相手側のコンピユータ装置との接続は既に確立されているものとする。
変復調部１４は与えられるデータ信号が圧縮されている場合に伸長処理すると共に、復調処理及びアナログ／デイジタル変換してデイジタル信号Ｓ１に変換する。変復調部１４は得られたデイジタル信号Ｓ１を内部バス７を介してシリアルＩ／Ｆ部１５に送出する。シリアルＩ／Ｆ部１５はシリアル回線３を介してコンピユータ装置５にデイジタル信号Ｓ１を供給する。なお、コンピユータ装置５はこうして与えられるデイジタル信号Ｓ１に基づき文字表示や画像表示等の出力表示を行う。
【００３６】
またコンピユータ装置５は音声処理部（図示せず）を有しており、デイジタル信号Ｓ１に音声データが含まれている場合、当該音声データを例えばハードウエア又はソフトウエアによる音声処理によつてアナログなオーデイオ信号Ｓ２として抽出し、オーデイオ回線４を介してモデム装置３０に供給する。モデム装置３０は、こうして得られるオーデイオ信号Ｓ２をオーデイオＩ／Ｆ部１６に入力する。
【００３７】
オーデイオＩ／Ｆ部１６はオーデイオ信号Ｓ２を切換えスイツチ１１の他方の入力端子に送出すると共に、着信検出部１７に与える。着信検出部１７はオーデイオ信号Ｓ２から着信通知を示す音声信号を検出した場合、制御部８に着信を通知する。例えば相手側のコンピユータ装置からの着信時、当該データ信号には着信通知信号が含まれている。この着信通知信号は例えばインターネツトの場合、400[Hz] のトーン信号でなり、回線Ｉ／Ｆ部６では検出し得ない。モデム装置３０はこのような着信通知信号を一時コンピユータ装置５に送出してアナログな音声信号に変換し、得られたオーデイオ信号Ｓ２を入力して周波数等からこのトーン信号を検出するようになされている。
【００３８】
こうして着信が通知された場合、制御部８は切換えスイツチ１１に切換え信号を送出する。切換えスイツチ１１はこれに応じて、オーデイオＩ／Ｆ部１６が接続された入力端子と回線３２が接続された出力端子とを接続するようにスイツチの接続を切り換える。これにより電話機３１は切換えスイツチ１１を介してオーデイオＩ／Ｆ部１６と接続され、上述のデータ信号に含まれる音声データを受話器のスピーカから出力する。また、こうして電話機３１とオーデイオＩ／Ｆ部１６が切換えスイツチ１１を介して接続された場合、オーデイオＩ／Ｆ部１６は電話機３１に通知信号を供給して、電話機３１のリンガを鳴らすことにより、ユーザに着信を通知する（図示せず）。
【００３９】
またこうして接続が確立された状態で電話機３１の送話器のマイクから音声を入力した場合、当該音声は音声信号に変換されて切換えスイツチ１１、オーデイオＩ／Ｆ部１６及びオーデイオ回線４を介してコンピユータ装置５に与えられる。コンピユータ装置５はこの音声信号を音声処理してデイジタル信号Ｓ１を生成し、シリアル回線３を介してモデム装置３０に与える。モデム装置３０は当該デイジタル信号Ｓ１をシリアルＩ／Ｆ部１５及び内部バス７を順次介して変復調部１４に供給する。変復調部１４はデイジタル信号Ｓ１をデータ圧縮した後にアナログ信号に変換すると共に所定の変調方式で変調することによりデータ信号を生成して、回線Ｉ／Ｆ部６を介して電話回線２に送出して、相手側のコンピユータ装置に送信する。
【００４０】
以上の構成において、モデム装置３０は回線交換時、着信したデータ信号が他の電話機からのものであることを回線Ｉ／Ｆ部６により識別した場合、当該識別結果が制御部８に通知され、制御部８から送出する切換え信号によつて切換えスイツチ１１の接続が切り換えられる。これにより切換えスイツチ１１及び回線Ｉ／Ｆ部６を介して電話機３１が電話回線２と接続されて通話を行うことができる。
【００４１】
また他のコンピユータ装置との接続時に電話回線２を介してデータ信号が着信した場合、当該データ信号は回線Ｉ／Ｆ部６を介して変復調部１４に与えられ、データ伸長処理、復調処理及びデイジタル信号Ｓ１への変換がなされる。こうして得られたデイジタル信号Ｓ１は内部バス７、シリアルＩ／Ｆ部１５及びシリアル回線３を順次介してコンピユータ装置５に与えられる。デイジタル信号Ｓ１はコンピユータ装置５によつてデータ処理がなされ、文字又は画像として出力表示される。
【００４２】
また着信したデータ信号に音声データが含まれている場合、当該音声データはコンピユータ装置５によつてデイジタル信号Ｓ１から抽出されて音声処理され、オーデイオ信号Ｓ２としてオーデイオ回線４、オーデイオＩ／Ｆ部１６、切換えスイツチ１１及び回線３２を順次介して電話機３１に供給される。この際、着信開始時にデータ信号に付加されている着信信号が着信検出部１７によつて検出され、当該検出結果に応じて制御部８から送出される切換え信号によつて切換えスイツチ１１の接続切換えがなされ、電話機３１のスピーカからオーデイオ信号Ｓ２に基づく音声出力がなされる。
【００４３】
またこうした接続時に電話機３１のマイクから音声が入力された場合、当該音声は音声信号として切換えスイツチ１１、オーデイオＩ／Ｆ部１６及びオーデイオ回線４を介してコンピユータ装置５に与えられ、所定の音声処理によつてデイジタルな音声データに変換される。こうして得られた音声データやコンピユータ装置５で生成される文字、画像データはデイジタル信号Ｓ１としてシリアル回線３を介してモデム装置３０に与えられ、シリアルＩ／Ｆ部１５、変復調部１４、回線Ｉ／Ｆ部６及び電話回線２を順次介して送出され、他のコンピユータ装置に送信される。これによりモデム装置３０は他のコンピユータ装置とのデータ伝送を行い得る。
【００４４】
このようにモデム装置３０は他の電話機との回線交換時、及び他のコンピユータ装置とのデータ伝送時、回線Ｉ／Ｆ部６又は着信検出部１７によつて、着信したデータ信号が他の電話機からのものであるか、又は他のコンピユータ装置からのものであるかを識別して切換えスイツチ１１の接続を切り換えることにより、上述したどちらの場合でも回線３２を介して電話機３１によつて音声の入出力を行うことができる。
このようにモデム装置３０は異なる種別の通信時における音声入出力のインターフエイスを電話機３１によつて兼用することができ、これらの構成を電話機３１とコンピユータ装置５とで通信の種別に応じて別々に設けることを不要にし得る。これにより従来の電話機及びコンピユータ装置にモデム装置３０を追加することで、音声入出力のインターフエイスを共通化することができる。
【００４５】
以上の構成によれば、変復調部１４、切換えスイツチ１１、シリアルＩ／Ｆ部１５、オーデイオＩ／Ｆ部１６及び着信検出部１７を有するモデム装置３０を電話機３１とコンピユータ装置５との間に配して、回線交換時は回線Ｉ／Ｆ部６による識別によつて切換えスイツチ１１を回線３２と回線Ｉ／Ｆ部６とを接続するように切り換えて電話機３１を電話回線２に接続して通話を行い、他のコンピユータ装置との接続時は着信検出部１７による着信通知信号の検出によつて切換えスイツチ１１を回線３２とオーデイオＩ／Ｆ部１６とを接続するように切り換えてコンピユータ装置５を介した音声データの入出力を行うようにしたことにより、通信の種別に応じて別々の構成を設けること無く、電話機３１によつて通話及び音声データの入出力を共に行うことができ、かくするにつき、簡易な構成により異なる種別の通信における入出力インターフエイスを共通化することができる。
【００４６】
（３）第３実施例
図２〜図４との対応部分に同一符号を付して示す図５において、４０は全体としてコンピユータ装置を示し、電話回線２を介して他の電話機又は他のコンピユータ装置と回線接続するようになされている。またコンピユータ装置４０は回線３２によつて電話機３１と接続されている。
【００４７】
コンピユータ装置４０は電話回線２を介して受信したデータ信号を回線Ｉ／Ｆ部６に入力する。回線交換時、回線Ｉ／Ｆ部６はこのデータ信号が他の電話機からの呼び出し信号であるか否かを信号の周波数等から識別して、他の電話機からの呼び出し信号である場合、内部バス７を介して制御部８に通知する。
【００４８】
制御部８は当該通知に応じて内部バス７を介して切換えスイツチ１１に切換え信号を送出する。ここで回線Ｉ／Ｆ部６は切換えスイツチ１１の一方の入力端子と接続されており、また切換えスイツチ１１の出力端子は回線３２と接続されている。切換えスイツチ１１は切換え信号に応じて、回線Ｉ／Ｆ部６が接続された入力端子と回線３２が接続された出力端子とを接続するようにスイツチの切り換えを行う。これによりコンピユータ装置４０は回線３２を切換えスイツチ１１及び回線Ｉ／Ｆ部６を介して電話回線２に接続することで、電話機３１を電話回線２に接続して通話を確立する。
【００４９】
なおコンピユータ装置４０はキースイツチ部１３を有しており、キースイツチ部１３を操作して所望の電話番号を入力した場合、当該電話番号を内部バス７を介して制御部８に供給する。制御部８は内部バス７、回線Ｉ／Ｆ部６及び電話回線２を順次介して、当該電話番号に応じた相手側に呼を発行する。
【００５０】
一方、入力されるデータ信号が他の電話機からの呼び出し信号で無い場合、回線Ｉ／Ｆ部６は当該データ信号を変復調部１４に供給する。なお、これは例えば相手側のコンピユータ装置とコンピユータ装置４０とで電話回線２を介してデータ伝送を行う場合であり、相手側のコンピユータ装置との接続は既に確立されているものとする。
変復調部１４は与えられたデータ信号が圧縮されている場合に伸長処理すると共に、復調処理及びアナログ／デイジタル変換してデイジタル信号Ｓ１に変換する。変復調部１４は得られたデイジタル信号Ｓ１を内部バス７を介してデータ処理部４１に供給する。データ処理部４１はデイジタル信号Ｓ１に所定のデータ処理を施して表示部４２に文字や画像を出力表示する。
【００５１】
またデータ処理部４１はデイジタル信号Ｓ１に音声データが含まれている場合、当該音声データを内部バス７を介して音声処理部４３に供給する。音声処理部４３は音声データをアナログなオーデイオ信号Ｓ２に変換して着信検出部１７及び切換えスイツチ１１の他方の入力端子に供給する。
着信検出部１７はオーデイオ信号Ｓ２から着信通知を示す音声信号を検出した場合、制御部８に着信を通知する。例えば相手側のコンピユータ装置からの着信時、当該データ信号には着信通知信号が含まれている。この着信通知信号は例えばインターネツトの場合、400[Hz] のトーン信号でなり、回線Ｉ／Ｆ部６では検出し得ない。コンピユータ装置４０はこのような着信通知信号を音声処理部４３によつてアナログな音声信号に変換し、得られたオーデイオ信号Ｓ２を用いて着信検出を行うようになされている。
【００５２】
制御部８は当該通知に応じて、内部バス７を介して切換えスイツチ１１に切換え信号を送出する。切換えスイツチ１１はこれに応じて、音声処理部４３が接続された入力端子と回線３２が接続された出力端子とを接続するようにスイツチの接続を切り換える。これによりコンピユータ装置４０は回線３２を切換えスイツチ１１を介して音声処理部４３と接続し、上述のデータ信号に含まれる音声データを電話機３１のスピーカから出力する。また、こうして電話機３１とオーデイオＩ／Ｆ部１６が切換えスイツチ１１を介して接続された場合、オーデイオＩ／Ｆ部１６は電話機３１に通知信号を供給して、電話機３１のリンガを鳴らすことにより、ユーザに着信を通知する（図示せず）。
【００５３】
またこうして接続が確立された状態で電話機３１のマイクから音声を入力した場合、当該音声は音声信号に変換されて切換えスイツチ１１を介して音声処理部４３に与えられる。音声処理部４３はこの音声信号を音声処理してデイジタル信号Ｓ１を生成し、内部バス７を介してデータ処理部４１に供給する。データ処理部４１は当該音声信号によるデイジタル信号Ｓ１や文字及び画像情報でなるデイジタル信号Ｓ１を変復調部１４に供給する。変復調部１４はデイジタル信号Ｓ１をデータ圧縮した後にアナログ信号に変換すると共に所定の変調方式で変調することによりデータ信号を生成して、回線Ｉ／Ｆ部６を介して電話回線２に送出して、相手側のコンピユータ装置に送信する。
【００５４】
以上の構成において、コンピユータ装置４０は回線交換時、着信したデータ信号が他の電話機からのものであることを回線Ｉ／Ｆ部６により識別して制御部８に通知し、制御部８から送出される切換え信号によつて切換えスイツチ１１の接続を切り換えることにより回線３２、切換えスイツチ１１及び回線Ｉ／Ｆ部６を介して電話機３１を電話回線２と接続して通話を行うことができる。
また他のコンピユータ装置との接続時に電話回線２を介してデータ信号が着信した場合、当該データ信号は回線Ｉ／Ｆ部６を介して変復調部１４に与えられ、データ伸長処理、復調処理及びデイジタル信号Ｓ１への変換がなされる。こうして得られたデイジタル信号Ｓ１は内部バス７を介してデータ処理部４１に与えられる。デイジタル信号Ｓ１はデータ処理部４１によるデータ処理がなされた後、表示部４２に文字又は画像として出力表示される。
【００５５】
また着信したデータ信号に音声データが含まれている場合、当該音声データは音声処理部４３に与えられ、デイジタル信号Ｓ１から抽出されて音声処理されることでオーデイオ信号Ｓ２として着信検出部１７及び切換えスイツチ１１に供給される。この際、着信開始時にデータ信号に付加されている着信通知信号が着信検出部１７によつて検出され、当該検出結果に応じて制御部８から送出される切換え信号によつて切換えスイツチ１１の接続切換えがなされ、電話機３１のスピーカからオーデイオ信号Ｓ２に基づく音声出力がなされる。またこうした接続時に電話機３１のマイクから音声を入力した場合、当該音声は音声信号として回線３２及び切換えスイツチ１１を介して音声処理部４３に与えられ、音声処理されることによつてデイジタルな音声データに変換される。こうして得られた音声データやデータ処理部４１で生成される文字、画像データはデイジタル信号Ｓ１として変復調部１４に供給され、圧縮処理、デイジタル／アナログ変換及び変調処理がなされた後、回線Ｉ／Ｆ部６及び電話回線２を介して送出され、他のコンピユータ装置に送信される。これによりコンピユータ装置４０は他のコンピユータ装置とのデータ伝送を行い得る。
【００５６】
このようにコンピユータ装置４０は他の電話機との回線交換時、及び他のコンピユータ装置とのデータ伝送時、回線Ｉ／Ｆ部６又は着信検出部１７によつて、着信したデータ信号が他の電話機からのものであるか、又は他のコンピユータ装置からのものであるかを識別して切換えスイツチ１１の接続を切り換えることにより、上述したどちらの場合でも電話機３１によつて音声の入出力を行うことができる。またキースイツチ部１３から所望の電話番号を入力することにより、他の電話機との回線交換時、及び他のコンピユータ装置とのデータ伝送時、どちらの場合でも所望の相手先に呼を発行することができる。
これによりコンピユータ装置４０は異なる種別の通信時における音声入出力及び呼の発行等のインターフエイスを同一構成によつて兼用することができ、これらの構成を電話機３１と通信の種別に応じて別々に設けることを不要にし得る。
【００５７】
以上の構成によれば、電話機３１を回線３２によつて切換えスイツチ１１に接続し、回線交換時は回線Ｉ／Ｆ部６による識別によつて切換えスイツチ１１を回線３２と回線Ｉ／Ｆ部６とを接続するように切り換えて通話を行い、他のコンピユータ装置との接続時は着信検出部１７による着信通知信号の検出によつて切換えスイツチ１１を回線３２と音声処理部４３とを接続するように切り換えて音声データの入出力を行うようにしたことにより、通信の種別に応じて別々の構成を設けること無く、電話機３１によつて通話及び音声データの入出力を共に行うことができ、かくするにつき、簡易な構成により異なる種別の通信における入出力インターフエイスを共通化することができる。
【００５８】
（４）第４実施例
図２及び図５との対応部分に同一符号を付して示す図６において、５０は全体として通信端末装置を示し、電話回線２を介して他の電話機及び他のコンピユータ装置と回線接続するようになされている。通信端末装置５０は受信したデータ信号を回線Ｉ／Ｆ部６に入力する。回線Ｉ／Ｆ部６はこのデータ信号が他の電話機からの呼び出し信号であるか否かを受信した信号の周波数等から識別して、他の電話機からの呼び出し信号である場合、内部バス７を介して制御部８に通知する。制御部８は当該通知に応じて、内部バス７を介してリンガー発生部９及び表示部４２に制御信号を供給する。リンガー発生部９はこれに応じて着信音を出力し、また表示部４２は所定の通知表示を行うことにより、ユーザに着信を通知する。
【００５９】
ここで回線Ｉ／Ｆ部６は切換えスイツチ１１の一方の入力端子と接続されており、またハンドセツト部１２は切換えスイツチ１１の出力端子と接続されている。制御部８はリンガー発生部９及び表示部４２に制御信号を供給した後、ハンドセツト部１２のフツク状態の検出を行う。ユーザが着信通知に応じてマイク及びスピーカを有するハンドセツト部１２を取り上げた場合、制御部８はハンドセツト部１２がオフフツク状態になつたことを検出して、切換えスイツチ１１に切換え信号を送出する。切換えスイツチ１１はこれに応じて、回線Ｉ／Ｆ部６が接続された入力端子とハンドセツト部１２が接続された出力端子とを接続するようにスイツチの切り換えを行う。
これにより通信端末装置５０はハンドセツト部１２を切換えスイツチ１１及び回線Ｉ／Ｆ部６を介して電話回線２に接続し、通話を確立する。
【００６０】
なお通信端末装置５０はキースイツチ部１３を有しており、キースイツチ部１３を操作して所望の電話番号を入力した場合、当該電話番号を内部バス７を介して制御部８に供給する。制御部８は内部バス７、回線Ｉ／Ｆ部６及び電話回線２を順次介して、当該電話番号に応じた相手側に呼を発行する。
またユーザがハンドセツト部１２を元の位置に置いた場合、制御部８はハンドセツト部１２がオンフツク状態になつたことを検出して、通話を終了する。
【００６１】
一方、入力されるデータ信号が他の電話機からの呼び出し信号で無い場合、回線Ｉ／Ｆ部６は当該データ信号を変復調部１４に供給する。なお、これは例えば相手側のコンピユータ装置と通信端末装置５０とで電話回線２を介してデータ伝送を行う場合であり、相手側のコンピユータ装置との接続は既に確立されているものとする。
変復調部１４は与えられたデータ信号が圧縮されている場合に伸長処理すると共に、復調処理及びアナログ／デイジタル変換してデイジタル信号Ｓ１に変換する。変復調部１４は得られたデイジタル信号Ｓ１を内部バス７を介してデータ処理部４１に送出する。データ処理部４１はデイジタル信号Ｓ１に所定のデータ処理を行つて表示部４２に文字又は画像を出力表示する。
【００６２】
またデータ処理部４１はデイジタル信号Ｓ１に音声データが含まれている場合、当該音声データを内部バス７を介して音声処理部４３に供給する。音声処理部４３はデイジタルデータでなる音声データをアナログなオーデイオ信号Ｓ２に変換して着信検出部１７及び切換えスイツチ１１の他方の入力端子に供給する。
着信検出部１７はオーデイオ信号Ｓ２から着信通知を示す音声信号を検出した場合、制御部８に着信を通知する。例えば相手側のコンピユータ装置からの着信時、当該データ信号には着信通知信号が含まれている。この着信通知信号は例えばインターネツトの場合、400[Hz] のトーン信号でなり、回線Ｉ／Ｆ部６では検出し得ない。通信端末装置５０はこのような着信通知信号をアナログな音声信号に変換し、得られたオーデイオ信号Ｓ２の周波数等から当該着信通知を示す音声信号を検出することで着信検出を行うようになされている。
【００６３】
制御部８は当該通知に応じて、内部バス７を介してリンガー発生部９及び表示部４２に制御信号を供給する。リンガー発生部９はこれに応じて、上述の回線交換時の場合とは異なる着信音を出力し、また表示部４２も回線交換時の場合とは異なる点滅表示を行うことにより、ユーザに相手側のコンピユータ装置からの着信を通知する。
ユーザが着信通知に応じてマイク及びスピーカを有するハンドセツト部１２を取り上げた場合、制御部８はハンドセツト部１２がオフフツク状態になつたことを検出して、切換えスイツチ１１に切換え信号を送出する。切換えスイツチ１１はこれに応じて、音声処理部４３が接続された入力端子とハンドセツト部１２が接続された出力端子とを接続するようにスイツチの接続を切り換える。これにより通信端末装置５０はハンドセツト部１２を切換えスイツチ１１を介して音声処理部４３と接続し、オーデイオ信号Ｓ２に基づきハンドセツト部１２のスピーカから音声出力する。
【００６４】
またこうして接続が確立された状態でハンドセツト部１２のマイクから音声を入力した場合、当該音声は音声信号に変換されて切換えスイツチ１１を介して音声処理部４３に与えられる。音声処理部４３はこの音声信号を音声処理してデイジタル信号Ｓ１を生成し、内部バス７を介して変復調部１４に供給する。変復調部１４はデイジタル信号Ｓ１をデータ圧縮した後にアナログ信号に変換すると共に所定の変調方式で変調することによりデータ信号を生成して、回線Ｉ／Ｆ部６を介して電話回線２に送出して、相手側のコンピユータ装置に伝送する。
なお回線交換時と同様に、ユーザがハンドセツト部１２を元の位置に置いた場合、制御部８はハンドセツト部１２がオンフツク状態になつたことを検出して、相手側のコンピユータ装置とのデータ伝送を終了する。
【００６５】
以上の構成において、通信端末装置５０は回線交換時、着信したデータ信号が他の電話機からのものであることを回線Ｉ／Ｆ部６により識別して制御部８に通知し、ハンドセツト部１２のオフフツク時に制御部８から送出される切換え信号によつて切換えスイツチ１１の接続を切り換えることにより当該切換えスイツチ１１及び回線Ｉ／Ｆ部６を介してハンドセツト部１２を電話回線２と接続して通話を行うことができる。
また他のコンピユータ装置との接続時に電話回線２を介してデータ信号が着信した場合、当該データ信号は回線Ｉ／Ｆ部６を介して変復調部１４に与えられ、データ伸長処理、復調処理及びデイジタル信号Ｓ１への変換がなされる。こうして得られたデイジタル信号Ｓ１は内部バス７を介してデータ処理部４１に与えられる。デイジタル信号Ｓ１はデータ処理部４１によるデータ処理によつて表示部４２に文字又は画像として出力表示される。
【００６６】
また着信したデータ信号に音声データが含まれている場合、デイジタル信号Ｓ１は音声処理部４３に与えられ、音声処理部４３による音声処理によつてオーデイオ信号Ｓ２に変換されて着信検出部１７及び切換えスイツチ１１に供給される。この際、着信開始時にデータ信号に付加されている着信通知信号が着信検出部１７によつて検出され、当該検出結果及びハンドセツト部１２のオフフツクに応じて制御部８から送出される切換え信号によつて切換えスイツチ１１の接続切換えがなされ、ハンドセツト部１２のスピーカからオーデイオ信号Ｓ２に基づく音声出力がなされる。またこうした接続時にハンドセツト部１２のマイクから音声を入力した場合、当該音声は音声信号として切換えスイツチ１１を介して音声処理部４３に与えられ、デイジタルな音声データに変換される。こうして得られた音声データやデータ処理部４１で生成される文字、画像データはデイジタル信号Ｓ１として変復調部１４、回線Ｉ／Ｆ部６及び電話回線２を介して送出され、他のコンピユータ装置に送信される。これにより通信端末装置５０は他のコンピユータ装置とのデータ伝送を行い得る。
【００６７】
このように通信端末装置５０は他の電話機との回線交換時、及び他のコンピユータ装置とのデータ伝送時、回線Ｉ／Ｆ部６又は着信検出部１７によつて、着信したデータ信号が他の電話機からのものであるか又は他のコンピユータ装置からのものであるかを識別して切換えスイツチ１１の接続を切り換えることにより、上述したどちらの場合でもハンドセツト部１２によつて音声の入出力を行うことができる。また同様に、他の電話機との回線交換時又は他のコンピユータ装置とのデータ伝送時とでリンガー発生部９により異なる着信通知音を出力するようにしたことにより、着信したデータ信号が他の電話機からのものであるか、又は他のコンピユータ装置からのものであるかを区別して通知することができる。
さらにハンドセツト部１２のオフフツク、オンフツクによつて、他の電話機との回線交換時に通話開始及び終了を制御でき、また他のコンピユータ装置とのデータ伝送時にデータ伝送の開始及び終了を制御することができる。またキースイツチ部１３から所望の電話番号を入力することにより、他の電話機との回線交換時、及び他のコンピユータ装置とのデータ伝送時、どちらの場合でも所望の相手先に呼を発行することができる。
【００６８】
これにより通信端末装置５０は異なる種別の通信時における音声入出力、着信通知、通信開始及び終了の制御、呼の発行等のインターフエイスを同一構成によつて兼用することができ、これらの構成を別構成として通信の種別に応じて別々に設けることを不要にし得る。
【００６９】
以上の構成によれば、回線交換時は回線Ｉ／Ｆ部６による識別によつて切換えスイツチ１１をハンドセツト部１２と回線Ｉ／Ｆ部６とを接続するように切り換えて通話を行い、他のコンピユータ装置との接続時は着信検出部１７による着信通知信号の検出によつて切換えスイツチ１１をハンドセツト部１２と音声処理部４３とを接続するように切り換えて音声データの入出力を行うようにしたことにより、通信の種別に応じて別々の構成を設けること無く、ハンドセツト部１２によつて通話及び音声データの入出力を共に行うことができ、かくするにつき、簡易な構成により異なる種別の通信における入出力インターフエイスを共通化することができる。
【００７０】
（５）他の実施例
なお上述の第１及び第４実施例においては、リンガー発生部９による音声出力によりユーザに着信を通知する場合について述べたが、本発明はこれに限らず、例えば振動部を設けて当該振動部によつて所定の振動パターンを発生することによりユーザに着信を通知するようにしてもよい。
【００７１】
また上述の第１〜第４実施例においては、回線交換時に他の電話機からの着信であるか否かを回線Ｉ／Ｆ部６による周波数成分等からの検出によつて識別し、また他のコンピユータ装置との接続時に着信したデータ信号から音声処理によつて音声データを抽出してアナログなオーデイオ信号Ｓ２とし、これを着信検出部１７による周波数成分等からの検出によつて識別する場合について述べたが、本発明はこれに限らず、例えば発信先から電話番号通知がなされる場合、予め所定の接続先を複数登録しておき、着信時に通知される電話番号に基づいて相手側が電話機からの接続であるのか、またはコンピユータ装置からであるかを識別するようにしてもよい。
【００７２】
また上述の第１及び第４実施例においては、ハンドセツト部１２により音声の入出力を行う場合について述べたが、本発明はこれに限らず、例えばハンドセツト部１２に換えてスピーカ及びマイクを設けて音声の入出力を行うようにしてもよい。なお、この場合、ハンドセツト部１２のオンフツク又はオフフツク状態を制御部８に通知する代替として、キースイツチ部１３を操作して通信開始又は通信終了を示すコマンドを制御部８に供給するようにする。これにより実施例の場合と同等の効果を得ることができる。
【００７３】
また上述の第１〜第４実施例においては、アナログ回線である公衆電話回線を介して他の電話機や他のコンピユータ装置と接続する場合について述べたが、本発明はこれに限らず、例えばＩＳＤＮ、イーサネツト、無線電話回線等を介して接続する場合に適用してもよい。この場合も上述の実施例と同様の効果を得ることができる。
【００７４】
さらに上述の第１〜第４実施例においては、他のコンピユータ装置からの着信時、着信を通知するトーン信号を受信したデータ信号から抽出し、着信検出部１７によつてオーデイオ信号Ｓ２から当該トーン信号を検出することにより着信を判別する場合について述べたが、本発明はこれに限らず、例えば他のコンピユータ装置からの発呼信号を検出して着信を検出するようにしてもよい。
【００７５】
【発明の効果】
上述のように本発明によれば、電話回線を介して他の電話機又は他のコンピユータ装置と回線接続すると共に当該電話回線を介して送受信を行う回線接続手段と、入力される受信デイジタルデータから出力音声信号を抽出して送出すると共に入力される入力音声信号を送信デイジタルデータに変換して送出するコンピユータ装置と接続されており、電話回線を介して他のコンピユータ装置と回線接続して送受信を行う場合、当該他のコンピユータ装置から受信したアナログ信号を伸長処理及び復調処理して、得られた受信デイジタルデータを当該コンピユータ装置へ送出すると共に、当該コンピユータ装置から与えられる送信デイジタルデータを圧縮処理及び変調処理して、得られたアナログ信号を回線接続手段へ送出するデータ変復調手段と、他のコンピユータ装置と回線接続した場合、入力される出力音声信号に基づいて音声出力すると共に音声入力により得られる入力音声信号を送出する音声入出力手段と、コンピユータ装置から与えられる出力音声信号に基づき、他のコンピユータ装置からの着信を検出する着信検出手段と、他の電話機と回線接続した場合は電話回線を音声入出力手段に接続し、また他のコンピユータ装置と回線接続した場合はコンピユータ装置を音声入出力手段に接続する接続切換え手段とを設けた電話装置を接続して、他のコンピユータ装置との送受信の際に音声入出力手段とコンピユータ装置とを接続するように切り換えてコンピユータ装置により受信デイジタルデータから抽出される出力音声信号を音声入出力手段から音声出力し又音声入出力手段から入力される入力音声信号をコンピユータ装置により送信デイジタルデータに変換するようにしたことにより、他の電話機との接続及び他のコンピユータ装置との接続のどちらの場合でも音声入出力手段を介して音声入出力を行うことができ、音声入出力インターフエイスを共通化することができると共に、着信時に他の電話機又は他のコンピユータ装置のいずれからのものであるかを識別することができるので、かくするにつき、簡易な構成で異なる種別の通信ネツトワークへ接続できる電話装置を実現し得る。
【００７６】
また本発明によれば、電話回線を介して他の電話機又は他のコンピユータ装置と回線接続すると共に当該電話回線を介して送受信を行う回線接続手段と、入力される受信デイジタルデータから出力音声信号を抽出して送出すると共に入力される入力音声信号を送信デイジタルデータに変換して送出するコンピユータ装置と接続されており、電話回線を介して他のコンピユータ装置から受信したアナログ信号を伸長処理及び復調処理して得られた受信デイジタルデータを当該コンピユータ装置へ送出すると共に、当該コンピユータ装置から与えられる送信デイジタルデータを圧縮処理及び変調処理して、得られたアナログ信号を回線接続手段に送出するデータ変復調手段と、コンピユータ装置から与えられる出力音声信号に基づいて、他のコンピユータ装置からの着信を検出する着信検出手段と、音声入出力を行う電話機及びコンピユータ装置と接続されており、他の電話機と回線接続した場合は電話回線を電話機に接続し、また他のコンピユータ装置と回線接続した場合は電話機をコンピユータ装置に接続する接続切換え手段とを設けたモデム装置を、音声入出力を行う電話機、及びコンピユータ装置に接続して、他のコンピユータ装置との送受信の際に電話機とコンピユータ装置とを接続するように切り換えて、コンピユータ装置により受信デイジタルデータから抽出される出力音声信号を電話機から音声出力し又電話機から入力される入力音声信号をコンピユータ装置により送信デイジタルデータに変換するようにしたことにより、他の電話機との接続及び他のコンピユータ装置との接続のどちらの場合でも電話機を介して音声入出力を行うことができ、音声入出力インターフエイスを共通化することができると共に、着信時に他の電話機又は他のコンピユータ装置のいずれからのものであるかを識別することができるので、かくするにつき、簡易な構成で異なる種別の通信ネツトワークへ接続できるモデム装置を実現し得る。
【００７７】
また本発明によれば、電話回線を介して他の電話機又は他のコンピユータ装置と回線接続すると共に当該電話回線を介して送受信を行う回線接続手段と、他のコンピユータ装置から受信したアナログ信号を伸長処理及び復調処理して受信デイジタルデータを生成すると共に、当該他のコンピユータ装置へ送信すべき送信デイジタルデータを圧縮処理及び変調処理して、得られたアナログ信号を回線接続手段に送出するデータ変復調手段と、データ変復調手段から与えられる受信デイジタルデータから出力音声信号を抽出すると共に、入力される入力音声信号を送信デイジタルデータに変換してデータ変復調手段に供給するデータ処理手段と、出力音声信号に基づき、他のコンピユータ装置からの着信を検出する着信検出手段と、音声入出力を行う電話機と接続されており、他の電話機と回線接続した場合は電話回線を電話機に接続し、また他のコンピユータ装置と回線接続した場合は電話機をデータ処理手段に接続する接続切換え手段とを設けたコンピユータ装置を、音声入出力を行う電話機と接続して、他のコンピユータ装置との送受信の際に電話機とデータ処理手段とを接続するように切り換えて、データ処理手段により受信デイジタルデータから抽出した出力音声信号を電話機から音声出力し又電話機から入力される入力音声信号をデータ処理手段により送信デイジタルデータに変換するようにしたことにより、他の電話機との接続及び他のコンピユータ装置との接続のどちらの場合でも電話機を介して音声入出力を行うことができ、音声入出力インターフエイスを共通化できると共に、着信時に他の電話機又は他のコンピユータ装置のいずれからのものであるかを識別することができるので、かくするにつき、簡易な構成で異なる種別の通信ネツトワークへ接続できるコンピユータ装置を実現し得る。
【００７８】
また本発明によれば、電話回線を介して他の電話機又は他のコンピユータ装置と回線接続すると共に当該電話回線を介して送受信を行う回線接続手段と、他のコンピユータ装置から受信したアナログ信号を伸長処理及び復調処理して受信デイジタルデータを生成すると共に、当該他のコンピユータ装置へ送信すべき送信デイジタルデータを圧縮処理及び変調処理して、得られたアナログ信号を回線接続手段に送出するデータ変復調手段と、データ変復調手段から与えられる受信デイジタルデータから出力音声信号を抽出して送出すると共に入力される入力音声信号を送信デイジタルデータに変換してデータ入出力手段に供給するデータ処理手段と、他のコンピユータ装置と回線接続した場合、出力音声信号に基づいて音声出力すると共に音声入力により得られる入力音声信号を送出する音声入出力手段と、出力音声信号に基づいて、他のコンピユータ装置からの着信を検出する着信検出手段と、他の電話機と回線接続した場合は電話回線を音声入出力手段に接続し、また他のコンピユータ装置と回線接続した場合はデータ処理手段を音声入出力手段に接続する接続切換え手段とを設けて、他のコンピユータ装置との送受信の際に音声入出力手段とデータ処理手段とを接続して、データ処理手段により受信デイジタルデータから抽出した出力音声信号を音声入出力手段から音声出力し又音声入出力手段から入力される入力音声信号をデータ処理手段により送信デイジタルデータに変換するようにしたことにより、他の電話機との接続及び他のコンピユータ装置との接続のどちらの場合でも音声入出力手段を介して音声入出力を行うことができ、音声入出力インターフエイスを共通化できると共に、着信時に他の電話機又は他のコンピユータ装置のいずれからのものであるかを識別することができるので、かくするにつき、簡易な構成で異なる種別の通信ネツトワークへ接続できる通信端末装置を実現し得る。
【図面の簡単な説明】
【図１】本発明の第１実施例による電話装置の構成を示すブロツク図である。
【図２】電話装置の内部構成を示すブロツク図である。
【図３】本発明の第２実施例によるモデム装置の構成を示すブロツク図である。
【図４】モデム装置の内部構成を示すブロツク図である。
【図５】本発明の第３実施例によるコンピユータ装置の構成を示すブロツク図である。
【図６】本発明の第４実施例による通信端末装置の構成を示すブロツク図である。
【符号の説明】
１……電話装置、２……電話回線、３……シリアル回線、４……オーデイオ回線、５、４０……コンピユータ装置、６……回線Ｉ／Ｆ部、７……内部バス、８……制御部、９……リンガー発生部、１０、４２……表示部、１１……切換えスイツチ、１２……ハンドセツト部、１３……キースイツチ部、１４……変復調部、１５……シリアルＩ／Ｆ部、１６……オーデイオＩ／Ｆ部、１７……着信検出部、３０……モデム装置、３１……電話機、３２……回線、４１……データ処理部、４３……音声処理部、５０……通信端末装置。
【図１】
0003759546.tif 000002
【図３】
0003759546.tif 000003
【図２】
0003759546.tif 000004
【図４】
0003759546.tif 000005
【図５】
0003759546.tif 000006
【図６】
0003759546.tif 000007